(57)【要約】  管体の一方に大きな引き抜き力が作用しても、抜け外れを確実に防止できる、コネクタを提供する。  このコネクタ１０は、一端が接続部２２をなし、他端が挿入部２４をなし、スリット２８，２８が設けられたハウジング２０と、アーム５３，５３を有し、その内側に係合部５７が突設され、スリット２８からハウジング２０の挿入部内周に突出し、第１管体１のフランジ部１ａに係合して抜け止めするリテーナ５０とを備えている。そして、スリット２８の第１管体引き抜き方向側の内周面と、アーム５３の第１管体引き抜き方向側の外側面との間には、挿入部２４から第１管体１を引き抜く力が作用したときに、アーム５３，５３を互いに近づく方向に付勢する斜面当接部が形成されている。
2013031272.tif 000002
【特許請求の範囲】
【請求項１】
外周にフランジ部が形成された第１管体に、第２管体を接続するためのコネクタであって、
筒状に形成され、その一端が前記第２管体を接続するための接続部をなすと共に、他端が前記第１管体の挿入部をなし、この挿入部側の周壁に一対のスリットが設けられたハウジングと、
前記スリットに挿入される一対のアームを有する門形をなすと共に、各アームの内側に係合部が突設され、該係合部が前記スリットから前記ハウジングの挿入部内周に突出し、前記第１管体のフランジ部に係合して抜け止めするリテーナとを備え、
前記スリットの第１管体引き抜き方向側の内周面と、前記アームの第１管体引き抜き方向側の外側面との間には、前記挿入部から前記第１管体を引き抜く力が作用したときに、一対のアームを互いに近づく方向に付勢する斜面当接部が形成されていることを特徴とするコネクタ。
【請求項２】
前記斜面当接部は、前記スリットの第１管体引き抜き方向側の内周面に形成されたテーパ状の溝部と、前記アームの第１管体引き抜き方向側の外側面に形成されたテーパ状のリブとからなる請求項１記載のコネクタ。
【請求項３】
前記リテーナの係合部の先端面は、前記リテーナを前記ハウジングに向けて押し付けて、前記スリットの周方向端部に前記係合部を当接させたときに、一対のアームを広げて前記第１管体のフランジ部との係合を解除する傾斜状をなしている請求項１又は２記載のコネクタ。
【請求項４】
前記スリットの周方向端部の内周面は、前記ハウジングの挿入部側から接続部側に向けて次第に低くなるように傾斜すると共に、同ハウジングの挿入部の内側から外径方向に向けて次第に低くなるように傾斜した形状をなしている請求項１〜３のいずれか１つに記載のコネクタ。
【請求項５】
前記ハウジングの、一対のスリット間の周壁外周には、前記リテーナを前記ハウジングに向けて押し付けたときに、同リテーナを前記ハウジングの接続部側へ移動させる傾斜突部が設けられている請求項１〜４のいずれか１つに記載のコネクタ。
【発明の詳細な説明】
【技術分野】
【０００１】
本発明は、例えば、ホースやチューブ、配管等の管体どうしを接続するためのコネクタに関する。
【背景技術】
【０００２】
例えば、自動車のラジエータや、ヒーターユニット、燃料供給系には、複数のホースやチューブ、配管等が用いられている。これらのホースやチューブ、配管等の管体どうしを接続するため、コネクタが用いられている。【０００３】
従来のこの種のコネクタとして、下記特許文献１には、軸方向一方側に、ホースと接続される接続部が形成され、軸方向他方側に、径方向に対向して一対の係合スリットが形成された筒状のコネクタハウジングと、一対の係合アームを有し、この一対の係合アームが、前記係合スリットに入り込んで前記コネクタハウジングを挟み込むことにより、前記コネクタハウジングの軸方向他方側に取り付けられたコ字状又はほぼコ字状のワイヤリテーナーと、を備え、前記ワイヤリテーナーの前記係合アームが、前記係合スリットから前記コネクタハウジング内に突出し、パイプ体の挿入端部が挿入されたときに、この挿入端部に形成されている環状係合突部とスナップ係合するように構成されているクイックコネクタが開示されている。
【先行技術文献】
【特許文献】
【０００４】
【特許文献１】特開２００５−１８０６８７号公報
【発明の概要】
【発明が解決しようとする課題】
【０００５】
上記特許文献１記載のコネクタにおいては、ホースとパイプ体が接続された状態で、パイプ体の環状係合突部が、ワイヤリテーナーの各係合アームに係合している。しかしながら、事故の衝撃等によって、コネクタハウジングからパイプ体の挿入端部が引き抜かれる方向に大きな力が作用すると、一対の係合アームがパイプ体の環状係合突部に押されて、外径方向に向けてハの字状に広がり、係合アームと環状係合突部との係合状態が解除されて、パイプ体が引き抜かれてしまう虞れがあった。【０００６】
したがって、本発明の目的は、管体に大きな引き抜き力が作用しても、管体が抜け外れてしまうことを確実に防止することができる、コネクタを提供することにある。
【課題を解決するための手段】
【０００７】
上記目的を達成するため、本発明のコネクタは、外周にフランジ部が形成された第１管体に、第２管体を接続するためのものであって、筒状に形成され、その一端が前記第２管体を接続するための接続部をなすと共に、他端が前記第１管体の挿入部をなし、この挿入部側の周壁に一対のスリットが設けられたハウジングと、前記スリットに挿入される一対のアームを有する門形をなすと共に、各アームの内側に係合部が突設され、該係合部が前記スリットから前記ハウジングの挿入部内周に突出し、前記第１管体のフランジ部に係合して抜け止めするリテーナとを備え、前記スリットの第１管体引き抜き方向側の内周面と、前記アームの第１管体引き抜き方向側の外側面との間には、前記挿入部から前記第１管体を引き抜く力が作用したときに、一対のアームを互いに近づく方向に付勢する斜面当接部が形成されていることを特徴とする。【０００８】
本発明のコネクタにおいては、前記斜面当接部は、前記スリットの第１管体引き抜き方向側の内周面に形成されたテーパ状の溝部と、前記アームの第１管体引き抜き方向側の外側面に形成されたテーパ状のリブとからなることが好ましい。【０００９】
本発明のコネクタにおいては、前記リテーナの係合部の先端面は、前記リテーナを前記ハウジングに向けて押し付けて、前記スリットの周方向端部に前記係合部を当接させたときに、一対のアームを広げて前記第１管体のフランジ部との係合を解除する傾斜状をなしていることが好ましい。【００１０】
本発明のコネクタにおいては、前記スリットの周方向端部の内周面は、前記ハウジングの挿入部側から接続部側に向けて次第に低くなるように傾斜すると共に、同ハウジングの挿入部の内側から外径方向に向けて次第に低くなるように傾斜した形状をなしていることが好ましい。【００１１】
本発明のコネクタにおいては、前記ハウジングの、一対のスリット間の周壁外周には、前記リテーナを前記ハウジングに向けて押し付けたときに、同リテーナを前記ハウジングの接続部側へ移動させる傾斜突部が設けられていることが好ましい。
【発明の効果】
【００１２】
上記発明によれば、ハウジングのスリットにリテーナのアームを挿入し、その係合部をハウジングの挿入部内周に突出させて、第１管体のフランジ部をリテーナの係合部に係合させることにより、第１管体と第２管体とを接続することができる。【００１３】
そして、挿入部から第１管体を引き抜く方向に力が作用すると、スリットの第１管体引き抜き方向側の内周面と、アームの第１管体引き抜き方向側の外側面との間に設けられた斜面当接部により、一対のアームが互いに近づく方向に付勢されて、一対のアームの開きが防止され、第１管体のフランジ部とリテーナの係合部との係合しろを増大させることができるので、挿入部から第１管体が抜け外れることを確実に防止することができ、第１管体と第２管体との接続強度を高めることができる。
【図面の簡単な説明】
【００１４】
【図１】本発明に係るコネクタの、一実施形態を示す分解斜視図である。
【図２】同コネクタの斜視図である。
【図３】同コネクタを構成するハウジングの斜視図である。
【図４】同ハウジングの平面図である。
【図５】同ハウジングの側面図である。
【図６】同ハウジングの、図５のＡ−Ａ矢示線における断面図である。
【図７】本発明に係るコネクタを構成するリテーナの斜視図である。
【図８】同リテーナの平面図である。
【図９】同リテーナの正面図である。
【図１０】同コネクタの側面断面図である。
【図１１】同コネクタにおいて、第１管体を引き抜くときの、リテーナの動作を示しており、（ａ）は第１管体に引き抜き力が作用する前の要部拡大説明図、（ｂ）は第１管体に引き抜き力が作用したときの要部拡大説明図である。
【図１２】（ａ）は同コネクタの要部拡大正面断面図、（ｂ）は同コネクタの要部拡大側面図である。
【図１３】同コネクタにおいて、ハウジングからリテーナを取外す際のリテーナの動作を示しており、（ａ）は同コネクタの要部拡大正面断面図、（ｂ）は同コネクタの要部拡大側面図である。
【発明を実施するための形態】
【００１５】
以下、図１〜１３を参照して、本発明に係るコネクタの一実施形態について説明する。
【００１６】
図１及び図１０に示すように、このコネクタ１０は、外周にフランジ部１ａが形成された第１管体１と、第２管体２とを接続するものである。第１管体１のフランジ部１ａは挿入方向側が先細テーパ状をなしている。この実施形態では、第１管体１の外周に更に第３管体３が装着されていて、この第３管体３を、第１管体１を介して第２管体２と接続するものとなっている。これらの管体としては、例えば、自動車のラジエータ、ヒーターユニット、燃料供給系等において用いられるホースや、チューブ、或いは、配管等が挙げられ、それ以外の箇所に配置される管体の接続にも用いることができる。なお、第１管体１に第３管体３を装着せずに、例えば、金属チューブにフランジ部を設け、これを第１管体１として、第２管体２に接続させるようにしてもよい。
【００１７】
図１に示すように本実施形態のコネクタ１０は、一対のスリット２８が設けられた筒状のハウジング２０と、前記一対のスリット２８，２８に挿入される一対のアーム５３，５３を有する門形をなし、前記ハウジング２０に装着されて前記第１管体を抜け止めするリテーナ５０と、ハウジング２０内に挿入されるシールリング７０と、このシールリング７０を抜け止めするストッパリング７２とを有している。
【００１８】
図３〜６に示すように、前記ハウジング２０は、所定長さで伸びると共に軸方向両端が開口した略円筒状に形成されており、その一端が前記第２管体２を接続するための接続部２２をなし、他端が前記第１管体１を挿入するための挿入部２４をなしている。前記接続部２２の外周には、環状突部２２ａが所定間隔で複数突設されており、この接続部２２の外周に第２管体２が外挿されて接続されるようになっている（図１０参照）。なお、ハウジング２０に、例えば、Ｙ字状をなすように一対の接続部２２，２２を形成する等して、第２管体２の接続部２２を複数設けておき、各接続部２２にそれぞれ第２管体２を接続して、第１管体１に複数の第２管体２を接続するようにしてもよい。すなわち、本発明におけるコネクタは、第１管体に１本の第２管体のみを接続するものではなく、第１管体に１本又は複数本の第２管体を接続するものとしてもよい。
【００１９】
また、ハウジング２０の挿入部２４側の周壁２６の一部には、平坦面２７が形成されている。そして、周壁２６の平坦面２７の両側であって、挿入部２４の開口２４ａからやや離れた位置には、一対のスリット２８，２８が周方向に沿って円弧状で且つ所定幅で形成されている（図５及び図６参照）。
【００２０】
図３及び図６に示すように、各スリット２８の周方向一端部の内周面２８ａは、前記平坦面２７に対して直交した形状をなしている。また、図３、図５及び図６に示すように、各スリット２８の周方向他端部の内周面２８ｂは、挿入部２４側から接続部２２側に向けて次第に低くなるように傾斜すると共に、挿入部２４の内側から外径方向に向けて次第に低くなるように傾斜した形状をなしている。
【００２１】
更に、各スリット２８の、挿入部２４の開口２４ａ側の内周面２８ｃと、この内周面２８ｃに対向する接続部２２側の内周面２８ｄは、互いに平行となるように形成されている（図３及び図５参照）。また、接続部２２側の内周面２８ｄには、前記内周面２８ａから所定範囲にリブ逃げ溝２９が形成されている。
【００２２】
そして、図１０及び図１１（ａ）に示すように、挿入部２４に挿入された第１管体１を引き抜くときの方向をＦ１としたとき（以下、「第１管体引き抜き方向Ｆ１」とする）、各スリット２８の第１管体引き抜き方向Ｆ１側、すなわち、挿入部２４の開口２４ａ側の内周面２８ｃには、テーパ状の溝部３０が形成されている。
【００２３】
図４及び図１１に示すようにハウジング２０を平面方向から見たとき、溝部３０は、スリット２８の内周面２８ｃにおいて、周方向一端部の内周面２８ａ寄りの位置に設けられており、ハウジング２０の軸方向に沿って伸びる係止面３０ａと、挿入部２４に向けて溝部３０の幅を次第に狭くするように、ハウジング２０の径方向内方へとテーパ状に傾斜した形状をなすテーパ面３０ｂとから形成されている。また、この溝部３０は、図５及び図１２に示すように、ハウジング２０の周壁２６の外周面から、挿入部２４の内側に至るまで形成されている（破線部分参照）。
【００２４】
また、ハウジング２０の挿入部２４側の周壁２６には、一対の縦壁３２，３２が前記平坦面２７の両側から立設されている（図１〜３参照）。更に、各スリット２８の周方向他端部の内周面２８ｂ，２８ｂ側の周縁部分は、ハウジング２０の周壁２６から突設した枠状壁３４，３４により囲まれており、その内部には保持凹部３６，３６がそれぞれ設けられている（図２、図３及び図５参照）。
【００２５】
更に図４、図５及び図１０に示すように、前記平坦面２７の挿入部２４側の周縁部には、前記接続部２２側に向けて次第に高さが低くなると共に、平面方向から見たときに略円弧状をなす傾斜突部３８が形成されており、リテーナ５０をハウジング２０に向けて押し付けたときに、リテーナ５０をハウジング２０の接続部２２側へ移動させるようになっている（図１２参照）。
【００２６】
また、図１０に示すように、ハウジング２０の内部形状は、挿入部２４の開口２４ａ側から段階的に縮径した形状をなしている。すなわち、ハウジング２０の挿入部２４の奥方に、挿入部２４の内径よりも縮径し、シールリング７０及びこのシールリング７０を抜け止めするストッパリング７２が配置されるリング配置部４０が形成され、このリング配置部４０の更に奥方に、リング配置部４０の内径よりも縮径し、前記第１管体１の先端部が挿入される管体挿入部４１が形成されている。前記リング配置部４０の軸方向途中には、ストッパリング７２の環状突部７２ａが係合する環状溝４０ａが形成されている。
【００２７】
上記構造のハウジング２０に装着されるリテーナ５０は、図７〜９に示すように、外側面に筋状の滑り止め突部５１ａが設けられた長板状の基部５１と、この基部５１の長手方向両端から所定長さで垂設されると共に撓み可能とされた一対のアーム５３，５３とを有しており、全体として門形をなしている。
【００２８】
なお、本発明において門形とは、このようなコ字状をなすものに限られず、例えば、Ｕ字状をなすものであってもよい。
【００２９】
前記一対のアーム５３は、ハウジング２０の一対のスリット２８，２８にそれぞれ挿入されるようになっている。また、各アーム５３の幅は、前記スリット２８の内周面２８ｃと内周面２８ｄとの間隔よりもやや小さく形成されており、各アーム５３が各スリット２８に挿入された状態で、ハウジング２０の軸方向に沿って、リテーナ５０を接続部２２側又は挿入部２４側にスライドさせることが可能となっている（図１１〜１３参照）。
【００３０】
更に各アーム５３の先端部には、アーム５３の幅よりも幅広で、かつ、前記スリット２８の内周面２８ｃと内周面２８ｄとの間隔よりも幅広とされた突片５５がそれぞれ突設されている。
【００３１】
また、各アーム５３の前記突片５５よりも基端部寄りの内側からは、各アーム５３がハウジング２０の各スリット２８に挿入されたときに、同スリット２８からハウジング２０の挿入部２４の内周に突出し、前記第１管体１のフランジ部１ａに係合して抜け止めを図る係合部５７が突設されている。
【００３２】
図７及び図９に示すように、この係合部５７の先端面５７ａは、最も高く突出した頂部５７ｂからアーム先端側に向けて次第に低くなる傾斜状をなしている。そして、各アーム５３が各スリット２８に挿入され、係合部５７が挿入部２４の内周に突出したときに、係合部５７の先端面５７ａが、スリット２８の周方向他端部の内周面２８ｂに対向して配置され（図１０参照）、リテーナ５０をハウジング２０に向けて押し付けたときに、係合部５７の先端面５７ａがスリット２８の内周面２８ｂに当接して押圧されて、一対のアーム５３，５３が押し広げられるようになっている（図１３参照）。一方、係合部５７の基端面５７ｃは、図７及び図９に示すように、第１管体１の円筒形状に対応して、頂部５７ｂからアーム基端側に向けて円弧状に傾斜する形状をなしている。
【００３３】
図７、図８及び図１１に示すように、各アーム５３の長手方向途中であって、幅方向の両外側面５３ａ，５３ａからは、テーパ状のリブ６０，６０がそれぞれ突設されている。そして、各アーム５３が各スリット２８に挿入されると、外側面５３ａ，５３ａのいずれか一方、すなわち、第１管体引き抜き方向Ｆ１側の外側面５３ａのリブ６０が、スリット２８の第１管体引き抜き方向Ｆ１側の内周面２８ｃに形成された溝部３０に対向して配置され、この状態でハウジング２０の挿入部２４から第１管体１を引き抜く力が作用すると、前記溝部３０に前記リブ６０が挿入され、一対のアーム５３，５３を互いに近づく方向に付勢するようになっている（図１１参照）。
【００３４】
すなわち、この実施形態では、スリット２８の第１管体引き抜き方向Ｆ１側の内周面２８ｃに形成されたテーパ状の溝部３０と、アーム５３の第１管体引き抜き方向Ｆ１側の外側面５３ａに形成されたテーパ状のリブ６０とが、第１管体１に引き抜き力が作用したときに、一対のアーム５３，５３を互いに近づく方向に付勢する、本発明における「斜面当接部」を構成している。
【００３５】
また、前記リブ６０は、アーム５３の長手方向に沿って所定長さで伸びる突条をなしており、その内側に形成され、前記外側面５３ａに直交して伸びる内側面６０ａと、外側に形成され、アーム外側から内側に向けて、リブ６０を次第に高くなるように傾斜させるテーパ面６０ｂとから形成されている。
【００３６】
次に上記構成からなるコネクタ１０の使用方法の一例について説明する。
【００３７】
まず、ハウジング２０の挿入部２４の開口２４ａからシールリング７０を挿入し、リング配置部４０に配置した後、ストッパリング７２を開口２４ａから挿入して、その環状突部７２ａをリング配置部４０の環状溝４０ａに係合させることにより、シールリング７０を抜け止め保持する（図１０参照）。また、ハウジング２０の接続部２２の外周に第２管体２の端部を外挿し、第２管体２の内周に環状突部２２ａを食い込ませて、接続部２２に第２管体２を接続しておく。なお、第２管体２のハウジング２０への接続は、ハウジング２０に第１管体１を接続した後に行ってもよい。
【００３８】
そして、ハウジング２０にリテーナ５０を装着させるべく、図１に示すように、リテーナ５０の一対のアーム５３，５３を、ハウジング２０の一対のスリット２８，２８に整合するように、ハウジング２０の外周にリテーナ５０を配置する。次いで、各アーム５３の先端部の突片５５，５５を、ハウジング２０の縦壁３２，３２の間に配置し、リテーナ５０をハウジング２０に向けて押し付ける。すると、各アーム５３の突片５５が、ハウジング２０の周壁２６の外周に沿って押圧され、一対のアーム５３，５３が互いに広がって離れる方向に撓み変形していく。各アーム５３の突片５５がハウジング２０の保持凹部３６に入り込んで係合すると、一対のアーム５３，５３が弾性復帰して一対のスリット２８，２８に挿入されると共に、各スリット２８から各アーム５３の係合部５７，５７が挿入部２４の内周に突出して、ハウジング２０にリテーナ５０が装着される（図２、図１０及び図１２参照）。
【００３９】
また、この状態では図１０〜１２に示すように、各スリット２８の第１管体引き抜き方向Ｆ１側の内周面２８ｃから、各アーム５３の第１管体引き抜き方向Ｆ１側の外側面５３ａがやや離れ、前記内周面２８ｃに形成されたテーパ状の溝部３０に、前記外側面５３ａから突設したテーパ状のリブ６０が対向して配置されると共に、各アーム５３の第１管体引き抜き方向Ｆ１側とは反対側の外側面５３ａから突設したリブ６０が、各スリット２８の内周面２８ｄに形成されたリブ逃げ溝２９に配置されるようになっている。更に、リテーナ５０の基部５１は、ハウジング２０の平坦面２７から所定高さ浮き上がった状態となっている（図１０及び図１２参照）。
【００４０】
このとき、この実施形態では、ハウジング２０に一対の縦壁３２，３２が設けられているので、ハウジング２０にリテーナ５０を装着するときに、前記突片５５をスリット２８に位置決めした状態で保持でき、リテーナ５０をハウジング２０に向けて押し込みやすくさせることができると共に、リテーナ５０の装着後は、リテーナ５０の基部５１を保護することができるようになっている（図２参照）。
【００４１】
また、各アーム５３に、スリット２８の内周面２８ｃと内周面２８ｄとの間隔よりも幅広の突片５５が設けられているので、ハウジング２０に対するリテーナ５０の押し込み作業の途中で、各アーム５３の先端部がスリット２８内に挿入されることを防止して、一対のアーム５３，５３を確実に押し広げて、ハウジング２０に対するリテーナ５０の装着作業性を向上させることができる。
【００４２】
更にリテーナ５０の装着後においては、スリット２８より幅広の突片５５が、スリット２８の周方向他端部の保持凹部３６に係合するので、ハウジング２０に対してリテーナ５０をガタ付きなく安定して装着させることができる（図２及び図１２参照）。
【００４３】
また、リテーナ５０の各アーム５３の、幅方向の両外側面５３ａ，５３ａから、テーパ状のリブ６０，６０がそれぞれ突設されているので、各アーム５３の外側面５３ａの一方を、スリット２８の第１管体引き抜き方向Ｆ１側の内周面２８ｃに位置合わせする必要がなく、いずれの向きでもリテーナ５０を装着することができ、装着作業性を向上させることができる。
【００４４】
上記のようにハウジング２０にリテーナ５０を装着して、スリット２８から各アーム５３の係合部５７が挿入部２４の内周に突出した状態で、ハウジング２０の挿入部２４の開口２４ａから、第１管体１を挿入部２４内に挿入する。すると、第１管体１のフランジ部１ａの挿入方向側のテーパ面が、リテーナ５０の係合部５７の側面を押圧して、一対のアーム５３，５３を互いに離れる方向に撓み変形させていき、第１管体１のフランジ部１ａが、係合部５７を乗り越えて裏側に抜け出ると、一対のアーム５３，５３が弾性復帰して、第１管体１のフランジ部１ａに係合部５７が係合し、第１管体１が抜け止めされた状態でハウジング２０に接続される（図２及び図１０参照）。それと共に図１０に示すように、第１管体１の先端部がシールリング７０の内周に挿通され、第１管体１の先端部外周とハウジング２０の内周とがシールリング７０によってシールされる。このようにして、ハウジング２０にリテーナ５０を装着した後、ハウジング２０の挿入部２４に第１管体１を挿入するだけの簡単な操作で、第２管体２と、第１管体１及びこれに接続された第３管体とを、コネクタ１０を介してワンタッチで接続することができる。
【００４５】
そして、このコネクタ１０においては、第１管体１に大きな引き抜き力が作用しても、ハウジング２０の挿入部２４から第１管体１が抜け外れることを確実に防止できるようになっている。これについて図１１（ａ），（ｂ）を参照して説明する。
【００４６】
すなわち、コネクタ１０を介して第１管体１と第２管体２とが接続された状態で、図１１（ａ）に示すように、第１管体１に対して、第１管体引き抜き方向Ｆ１側に引き抜き力が作用すると、各アーム５３の外側面５３ａに突設されたリブ６０のテーパ面６０ｂが、各スリット２８の内周面２８ｃに形成された溝部３０のテーパ面３０ｂに当接する。すると、リブ６０のテーパ面６０ｂが溝部３０のテーパ面３０ｂに押圧されて、図１１（ｂ）の矢印Ｆ２に示すように、一対のアーム５３，５３が互いに近づく方向に付勢される。その結果、アーム５３，５３の開きを防止して、第１管体１のフランジ部１ａと、各アーム５３の係合部５７との係合しろを増大させることができるので、ハウジング２０の挿入部２４から第１管体１が抜け外れることを確実に防止することができ、第１管体１とコネクタ１０との接続強度を高めることができる。
【００４７】
特にこの実施形態では、各スリット２８の内周面２８ｃに形成されたテーパ状の溝部３０と、各アーム５３の外側面５３ａに突設されたテーパ状のリブ６０とからなる斜面当接部を採用したことにより、リブ６０のテーパ面６０ｂと、溝部３０のテーパ面３０ｂとの接触面積を大きく確保することができるので、第１管体１に、第１管体引き抜き方向Ｆ１側の引き抜き力が作用すると、溝部３０のテーパ面３０ｂにリブ６０のテーパ面６０ｂが効率よく押圧され、一対のアーム５３，５３を互いに近づく方向にスムーズに付勢することができる（図１１（ｂ）の矢印Ｆ２参照）。その結果、例えば、事故等によって車両に大きな衝撃力が作用して、瞬間的に第１管体１に引き抜き力が作用した場合等でも、その応答性を高めて第１管体１の挿入部２４からの抜け外れを効果的に防止することができる。
【００４８】
また、メンテナンス等の理由により、第２管体２が接続されたコネクタ１０から、第１管体１及びこれに接続された第３管体３を取外したい場合には、図１２の矢印Ｆ３に示すように、リテーナ５０の基部５１を、ハウジング２０の平坦面２７に向けて押し付ける。すると、リテーナ５０の各アーム５３の係合部５７の先端面５７ａが、スリット２８の内周面２８ｂ（図５、図１２及び図１３参照）に強く当接すると共に、リテーナ５０の基部５１が、前記平坦面２７に形成された傾斜突部３８に当接する。その結果、前記内周面２８ｂにより係合部５７の先端面５７ａが押圧されると共に、前記傾斜突部３８により基部５１が押圧されて、図１３（ｂ）の矢印Ｆ５に示すように、リテーナ５０をハウジング２０の接続部２２側へ移動させつつ、図１３（ａ）の矢印Ｆ４に示すように、一対のアーム５３，５３が押し広げられて、各アーム５０の係合部５７が挿入部２４の内周から外側へと移動し、各アーム５０の突片５５が保持凹部３６から抜け出て、第１管体１のフランジ部１ａとリテーナ５０の係合部５７との係合が解除される。
【００４９】
上記のように本実施形態では、リテーナ５０をハウジング２０に向けて押し付けるだけで、リテーナ５０の各アーム５３の係合部５７の傾斜状の先端面５７ａが、スリット２８の周方向端部の内周面２８ｂに当接して一対のアーム５３，５３を押し広げて、第１管体１のフランジ部１ａとリテーナ５０の係合部５７との係合を解除することができるので、第１管体１と第２管体２とを簡単に取外すことができる。
【００５０】
また、この実施形態では、スリット２８の周方向他端部の内周面２８ｂは、ハウジング２０の挿入部２４側から接続部２２側に向けて次第に低く傾斜すると共に、挿入部２４の内側から外径方向に向けて次第に低く傾斜した形状とされている（図５及び図６参照）。そのため、リテーナ５０をハウジング２０に向けて押し付けて、リテーナ５０の係合部５７がスリット２８の内周面２８ｂに当接すると、内周面２８ｂの挿入部２４側から接続部２２側への傾斜形状（図５及び図１０参照）によって、前述したように、リテーナ５０を接続部２２側へ移動させて、スリット２８の第１管体引き抜き方向Ｆ１側の内周面２８ｃと、アーム５３の第１管体引き抜き方向側Ｆ１の外側面５３ａとを引き離して、溝部３０からリブ６０を抜き出すことができると共に、内周面２８ｃの挿入部２４内側から外径方向への傾斜形状によって、一対のアーム５３，５３を押し広げて、第１管体１のフランジ部１ａとリテーナ５０係合部５７との係合を解除させることができ、第１管体１と第２管体２との取外しをよりスムーズに行うことができる。
【００５１】
更にこの実施形態では、リテーナ５０をハウジング２０に向けて押し付けると、ハウジング２０に設けられた傾斜突部３８に、リテーナ５０の基部５１が当接して、前述したように、リテーナ５０を接続部２２側へ移動させることができるので、スリット２８の第１管体引き抜き方向Ｆ１側の内周面２８ｃと、アーム５３の第１管体引き抜き方向Ｆ１側の外側面５３ａとを引き離して、溝部３０からリブ６０を抜き出すことができ、一対のアーム５３，５３を容易に開かせて、第１管体１のフランジ部１ａとリテーナ５０係合部５７との係合をスムーズに解除させることができる。
【００５２】
なお、上記実施形態では、スリット２８の第１管体引き抜き方向Ｆ１側の内周面２８に形成されたテーパ状の溝部３０と、アーム５３の第１管体引き抜き方向Ｆ１側の外側面５３ａに突設されたテーパ状のリブ６０とからなる斜面当接部を採用したが、これに限定されるものではない。例えば、溝部３０及びリブ６０のいずれか一方をテーパ状としたり、スリット２８側にリブを設け、アーム５３側に溝部を設けたりしてもよい。
【符号の説明】
【００５３】
１  第１管体
１ａ  フランジ部
２  第２管体
１０  コネクタ
２０  ハウジング
２２  接続部
２４  挿入部
２８  スリット
２８ａ、２８ｂ、２８ｃ、２８ｄ  内周面
３０  溝部
５０  リテーナ
５３  アーム
５３ａ  外側面
５７  係合部
５７ａ  先端面
６０  リブ
【図１】
2013031272.tif 000003
【図２】
2013031272.tif 000004
【図３】
2013031272.tif 000005
【図４】
2013031272.tif 000006
【図５】
2013031272.tif 000007
【図６】
2013031272.tif 000008
【図７】
2013031272.tif 000009
【図８】
2013031272.tif 000010
【図９】
2013031272.tif 000011
【図１０】
2013031272.tif 000012
【図１１】
2013031272.tif 000013
【図１２】
2013031272.tif 000014
【図１３】
2013031272.tif 000015
【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
外周にフランジ部が形成された第１管体に、第２管体を接続するためのコネクタであって、
筒状に形成され、その一端が前記第２管体を接続するための接続部をなすと共に、他端が前記第１管体の挿入部をなし、この挿入部側の周壁に一対のスリットが設けられたハウジングと、
前記スリットに挿入される一対のアームを有する門形をなすと共に、各アームの内側に係合部が突設され、該係合部が前記スリットから前記ハウジングの挿入部内周に突出し、前記第１管体のフランジ部に係合して抜け止めするリテーナとを備え、
前記スリットの第１管体引き抜き方向側の内周面と、前記アームの第１管体引き抜き方向側の外側面との間には、前記挿入部から前記第１管体を引き抜く力が作用したときに、一対のアームを互いに近づく方向に付勢する斜面当接部が形成され、
前記斜面当接部は、前記スリットの第１管体引き抜き方向側の内周面に形成されたテーパ状の溝部と、前記アームの第１管体引き抜き方向側の外側面に形成されたテーパ状のリブとからなることを特徴とするコネクタ。
【請求項２】
（削除）
【請求項３】
前記リテーナの係合部の先端面は、前記リテーナを前記ハウジングに向けて押し付けて、前記スリットの周方向端部に前記係合部を当接させたときに、一対のアームを広げて前記第１管体のフランジ部との係合を解除する傾斜状をなしている請求項１記載のコネクタ。
【請求項４】
前記スリットの周方向端部の内周面は、前記ハウジングの挿入部側から接続部側に向けて次第に低くなるように傾斜すると共に、同ハウジングの挿入部の内側から外径方向に向けて次第に低くなるように傾斜した形状をなしている請求項１又は３記載のコネクタ。
【請求項５】
前記ハウジングの、一対のスリット間の周壁外周には、前記リテーナを前記ハウジングに向けて押し付けたときに、同リテーナを前記ハウジングの接続部側へ移動させる傾斜突部が設けられている請求項１、３、４のいずれか１つに記載のコネクタ。
【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
外周にフランジ部が形成された第１管体に、第２管体を接続するためのコネクタであって、
筒状に形成され、その一端が前記第２管体を接続するための接続部をなすと共に、他端が前記第１管体の挿入部をなし、この挿入部側の周壁に一対のスリットが設けられたハウジングと、
前記スリットに挿入される一対のアームを有する門形をなすと共に、各アームの内側に係合部が突設され、該係合部が前記スリットから前記ハウジングの挿入部内周に突出し、前記第１管体のフランジ部に係合して抜け止めするリテーナとを備え、
前記スリットの第１管体引き抜き方向側の内周面と、前記アームの第１管体引き抜き方向側の外側面との間には、前記挿入部から前記第１管体を引き抜く力が作用したときに、一対のアームを互いに近づく方向に付勢する斜面当接部が形成されていることを特徴とするコネクタ。
【請求項２】
前記斜面当接部は、前記スリットの第１管体引き抜き方向側の内周面に形成されたテーパ状の溝部と、前記アームの第１管体引き抜き方向側の外側面に形成されたテーパ状のリブとからなる請求項１記載のコネクタ。
【請求項３】
前記リテーナの係合部の先端面は、前記リテーナを前記ハウジングに向けて押し付けて、前記スリットの周方向端部に前記係合部を当接させたときに、一対のアームを広げて前記第１管体のフランジ部との係合を解除する傾斜状をなしている請求項１又は２記載のコネクタ。
【請求項４】
前記スリットの周方向端部の内周面は、前記ハウジングの挿入部側から接続部側に向けて次第に低くなるように傾斜すると共に、同ハウジングの挿入部の内側から外径方向に向けて次第に低くなるように傾斜した形状をなしている請求項１〜３のいずれか１つに記載のコネクタ。
【請求項５】
前記ハウジングの、一対のスリット間の周壁外周には、前記リテーナを前記ハウジングに向けて押し付けたときに、同リテーナを前記ハウジングの接続部側へ移動させる傾斜突部が設けられている請求項１〜４のいずれか１つに記載のコネクタ。
【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
外周にフランジ部が形成された第１管体に、第２管体を接続するためのコネクタであって、
筒状に形成され、その一端が前記第２管体を接続するための接続部をなすと共に、他端が前記第１管体の挿入部をなし、この挿入部側の周壁に一対のスリットが設けられたハウジングと、
前記スリットに挿入される一対のアームを有する門形をなすと共に、各アームの内側に係合部が突設され、該係合部が前記スリットから前記ハウジングの挿入部内周に突出し、前記第１管体のフランジ部に係合して抜け止めするリテーナとを備え、
前記スリットの第１管体引き抜き方向側の内周面と、前記アームの第１管体引き抜き方向側の外側面との間には、前記挿入部から前記第１管体を引き抜く力が作用したときに、一対のアームを互いに近づく方向に付勢する斜面当接部が形成されており、
前記斜面当接部は、前記スリットの第１管体引き抜き方向側の内周面及び前記アームの第１管体引き抜き方向側の外側面の、いずれか一方に形成された溝部と、いずれか他方に形成されたリブとからなり、前記溝部及び前記リブの少なくとも一方がテーパ状に形成されていることを特徴とするコネクタ。
【請求項２】
前記斜面当接部は、前記スリットの第１管体引き抜き方向側の内周面に形成された溝部と、前記アームの第１管体引き抜き方向側の外側面に形成されたリブとからなり、前記溝部及び前記リブの少なくとも一方がテーパ状に形成されている請求項１記載のコネクタ。
【請求項３】
前記斜面当接部は、前記スリットの第１管体引き抜き方向側の内周面に形成されたテーパ状の溝部と、前記アームの第１管体引き抜き方向側の外側面に形成されたテーパ状のリブとからなる請求項２記載のコネクタ。
【請求項４】
前記スリットの周方向端部の内周面は、前記ハウジングの挿入部側から接続部側に向けて次第に低くなるように傾斜すると共に、同ハウジングの挿入部の内側から外径方向に向けて次第に低くなるように傾斜した形状をなしている請求項１〜３のいずれか１つに記載のコネクタ。
【請求項５】
前記ハウジングの、一対のスリット間の周壁外周には、前記リテーナを前記ハウジングに向けて押し付けたときに、同リテーナを前記ハウジングの接続部側へ移動させる傾斜突部が設けられている請求項１〜４のいずれか１つに記載のコネクタ。
【手続補正２】
【補正対象書類名】明細書
【補正対象項目名】０００７
【補正方法】変更
【補正の内容】
【０００７】
上記目的を達成するため、本発明のコネクタは、外周にフランジ部が形成された第１管体に、第２管体を接続するためのものであって、筒状に形成され、その一端が前記第２管体を接続するための接続部をなすと共に、他端が前記第１管体の挿入部をなし、この挿入部側の周壁に一対のスリットが設けられたハウジングと、前記スリットに挿入される一対のアームを有する門形をなすと共に、各アームの内側に係合部が突設され、該係合部が前記スリットから前記ハウジングの挿入部内周に突出し、前記第１管体のフランジ部に係合して抜け止めするリテーナとを備え、前記スリットの第１管体引き抜き方向側の内周面と、前記アームの第１管体引き抜き方向側の外側面との間には、前記挿入部から前記第１管体を引き抜く力が作用したときに、一対のアームを互いに近づく方向に付勢する斜面当接部が形成されており、前記斜面当接部は、前記スリットの第１管体引き抜き方向側の内周面及び前記アームの第１管体引き抜き方向側の外側面の、いずれか一方に形成された溝部と、いずれか他方に形成されたリブとからなり、前記溝部及び前記リブの少なくとも一方がテーパ状に形成されていることを特徴とする。
また、本発明のコネクタにおいては、前記斜面当接部は、前記スリットの第１管体引き抜き方向側の内周面に形成された溝部と、前記アームの第１管体引き抜き方向側の外側面に形成されたリブとからなり、前記溝部及び前記リブの少なくとも一方がテーパ状に形成されていることが好ましい。
【国際調査報告】
2013031272.tif 000016
2013031272.tif 000017
2013031272.tif 000018
2013031272.tif 000019